(57)【要約】【課題】ソートされたコンテキスト内のリンク情報を表示すること。【解決手段】ソートされたコンテキスト内のリンク情報を表示するため、各々が第１表示特性と関連付けられた第１組の表示要素を決定し、第１組の表示要素内の関心ある要素を決定し、類似性尺度に基づいて、関心ある要素と関連付けられた第２組の表示要素を決定し、第１及び第２組の要素に基づいて第３の組の要素を決定し、第３組の要素は、ソートされた複合表示になるように第１の組の要素に組み合わされて、前記複合表示には、全ての表示要素が対応のセクション・ソート規則に基づいてセクションにソートされる。【選択図】図２
2006331418.tif 000002
【特許請求の範囲】
【請求項１】
ソートされたコンテキスト内のリンク情報を表示する方法であって、
各々が第１の表示特性と関連付けられた第１の組の表示要素を決定し、
前記第１の組の表示要素内の関心ある要素を決定し、
少なくとも１つの類似性尺度に基づいて、前記関心ある要素と関連付けられた第２の組の表示要素を決定し、
前記第１及び第２の組の要素に基づいて第３の組の要素を決定する、ステップを含み、
前記第３の組の要素は、ソートされた複合表示になるように前記第１の組の要素に組み合わされて、前記ソートされた複合表示においては、全ての表示要素が、対応のセクション・ソート規則に基づいて、セクションにソートされている、
ことを特徴とする方法。
【請求項２】
前記ソートされた複合表示の前記表示は、ソートされたオリジナルのコンテキスト内に存在する特定の組の空間関係を保存している、ことを特徴とする請求項１に記載の方法。
【請求項３】
ソートされたコンテキスト内のリンク情報を表示するためのシステムであって、
第１の表示特性と関連付けられた第１の組の要素を受け取るための入／出力回路と、
前記第１の組の要素についてソートされた表示コンテキストを決定するプロセッサと、
前記第１の組の要素内の関心ある要素を選択するように作動可能な選択回路と、
前記関心ある要素に関連付けられた第２の組の要素を決定する関連要素回路と、
前記第１及び第２の組の要素に基づいて、第２の表示特性と関連付けられた第３の組の要素及び第３の表示特性と関連付けられた第４の組の要素を決定するプロセッサと、
前記第１及び第２の組の要素に基づいて、前記第３の組の要素を挿入する要素レイアウト回路と、を備え、
前記第３の組の要素は、ソートされた複合表示となるように前記第１の組の要素に組み合わされて、前記ソートされた複合表示においては、全ての表示要素が、対応のセクション・ソート規則に基づいてセクションにソートされている、
ことを特徴とするシステム。
【請求項４】
コンピュータ読み取り記憶媒体であって、該コンピュータ読み取り可能記憶媒体上に具現されたコンピュータ読み取り可能コードを含んでおり、該コンピュータ読み取り可能コードが、ソートされたコンテキスト内のリンク情報を表示するようにコンピュータをプログラムするのに使用可能である、コンピュータ読み取り記憶媒体において、
各々が第１の表示特性と関連付けられた第１の組の表示要素を決定し、
前記第１の組の表示要素内の関心ある要素を決定し、
少なくとも１つの類似性尺度に基づいて、前記関心ある要素と関連付けられた第２の組の表示要素を決定し、
前記第１及び第２の組の要素に基づいて、第３の組の要素を決定する、ことを含み、
前記第３の組の要素は、ソートされた複合表示となるように前記第１の組の要素に組み合わされて、前記ソートされた複合表示においては、全ての表示要素が、対応のセクション・ソート規則に基づいてセクションにソートされている、
ことを特徴とするコンピュータ読み取り可能記憶媒体。
【発明の詳細な説明】
【技術分野】
【０００１】
本発明は、情報の表示に関する。本出願は、全体が引用によりここに組み入れられる、米国特許出願番号第１３６２７６号として本出願と同日に出願された、「ＳＹＳＴＥＭ  ＡＮＤ  ＭＥＴＨＯＤＳ  ＦＯＲ  ＳＥＭＡＮＴＩＣＡＬＬＹ  ＺＯＯＭＩＮＧ  ＩＮＦＯＲＭＡＴＩＯＮ」という名称の、出願の内容と関連する。
【背景技術】
【０００２】
従来のドキュメント（文書）管理システムは、ユーザが、関連した情報の量を識別し、取り扱うことを可能にする。しかしながら、これらの従来のテキスト及びウェブ探索システムによっては、ユーザが新しく見つけたドキュメントをコレクションに付加した結果を視覚化できない。更に、これらのシステムには、新しく見つけたドキュメントの属性を、既にコレクション内にあるドキュメントの属性と比較するための適切な機能がない。ウェブ検索エンジンのような一部の従来のシステムは、検索又は探索と関連付けられたドキュメントを再検討する能力をユーザに提供する。ユーザは、潜在的に有用な他のドキュメントを見つけるために、ドキュメント間のリンクをブラウズ（閲覧）する。
【０００３】
【特許文献１】米国特許出願公開第２００３／０１３２９４４号明細書
【特許文献２】米国特許出願公開第２００４／０１６５０１０号明細書
【発明の開示】
【発明が解決しようとする課題】
【０００４】
しかしながら、従来の検索又は探索システムにおいても、新しく見つけたドキュメントをドキュメントコレクションに付加した結果を視覚化するための機能がない。さらに、リンクされた又は接続された関心あるドキュメントは、ユーザによって指定されたドキュメントコレクションの空間組織と容易に統合されない。
【課題を解決するための手段】
【０００５】
したがって、ソートされた表示コンテキスト内のリンク情報を表示するためのシステム及び方法は有用である。本発明によるシステム及び方法は、第１のソートされた表示コンテキスト内の第１の組のユーザ・インターフェース要素を決定するステップを提供し、各々の要素は、ドキュメント、ＵＲＬ（Uniform Resource Locator）、引用（citation）、データベース内の情報記録、リンクされたコンタクト情報、その他のタイプの情報要素を表す。第１の組内の各要素は、第１の表示特性と関連付けられる。第１の組の要素内の関心ある要素が、オプションとして決定される。次に、関心ある要素と関連付けられた又は該関心ある要素にリンクされた第２の組の要素が決定される。第３の組の要素が、既に第１の組内にある第２の組の要素以外の第２の組の要素の全てに基づいて形成される。第３の組は、ソートされた表示コンテキストにまだ付加されていない要素を反映する。第３の組内の要素は、第２の表示特性すなわちゴースト化された表示特性と関連付けられる。第３の組内の要素は、空間メモリ・キューを優先的に保存する空間変形（spatial distortion）規則に基づいて、第１の表示コンテキストに挿入される。第４の組の要素は、第１の組の要素と第２の組の要素の交差部分から決定される。第４の組の要素は、強調表示（ハイライト）された第３の表示特性と関連付けられる。第５の組は、第１の組から第２の組を減算することによって決定される。第５の組は、関心ある要素と関連付けられていないかあるいは該関心ある要素にリンクされていない、第１の表示コンテキスト内の要素を反映する。第５の組は、第４の表示特性と関連付けられる。１つ又はそれ以上の関心ある要素が、第６の組と関連付けられ、第５の表示特性すなわち選択された表示特性と関連付けられる。
【発明を実施するための最良の形態】
【０００６】
図１は、本発明による、ソートされたコンテキスト内のリンク情報を表示するための例示的なシステム１００の概要である。ソートされたコンテキスト内のリンク情報を表示するためのシステム１００は、通信リンク９９を介して、通信可能なパーソナル・コンピュータ３００、及び、ドキュメント（文書）１０００〜１００２を供給する情報リポジトリ２００に接続される。
【０００７】
通信可能なパーソナル・コンピュータ３００のユーザが、１組のドキュメント１０００〜１００２の視覚化の要求を開始する。この要求は、通信リンク９９によって、情報リポジトリ２００へのアクセスを仲介する、ソートされたコンテキスト内のリンク情報を表示するためのシステム１００に送られる。ソートされたコンテキスト内のリンク情報を表示するためのシステム１００は、情報リポジトリ２００からドキュメント１０００〜１００２を検索（retrieve）する。各ドキュメントは、アイコン、サムネイル、ウィンドウ、タイル、長方形等のようなユーザ・インターフェース要素で表される。リンクされた要素の視覚化が決定され、通信可能なパーソナル・コンピュータ３００に送られ、ユーザに表示される。情報リポジトリ内のドキュメントは、ファイル、記録、オブジェクト、及び／又は、周知の又は後に開発されるタイプの任意の情報である。
【０００８】
一実施形態において、ユーザは、第１の表示コンテキスト内の要素から、関心ある要素を選択する。しかしながら、関心ある要素は、探索（search）、直接入力、及び／又は、周知の又は後に開発される任意の選択方法を用いて選択することも可能である。要素は、マウス又はペン・クリック、ジェスチャのような明示的なユーザ・インターフェース選択動作を用いて選択され、投げ縄（lasso）、ボックス、長方形のような境界を示すインジケータで該要素を囲み、音声コマンド等を用いて選択される。他の実施形態においては、要素は、暗黙的に選択される。ユーザのカーソル又は視線が、しきい値時間より長く要素の上に停止するとき、要素を暗黙的に選択することができる。しかしながら、関心ある要素を選択するのに使用可能な何らかの明示的又は暗黙的方法を本発明の実施に用いることもできる。
【０００９】
選択された要素にリンクされる付加的な要素が検索される。幾つかの実施形態においては、検索された要素は、第１の組内の要素とは異なるタイプのものである。検索された要素は、選択されたドキュメントと関連付けられた引用（citation）であるけれど、選択された要素をドキュメントとしてもよい。第１の表示特性は、通信可能なパーソナル・コンピュータ３００上に表示される第１の組の要素と関連付けられる。まだ表示されていない付加的なリンク要素が、第２の表示特性を用いて、第１の組の要素の表示コンテキストに挿入される。
【００１０】
種々の実施形態においては、付加的な要素は、随意的に（オプションとして）、空間キューを維持しながら、ソートされた表示コンテキストに挿入される。つまり、空間キューの変形（distortion：歪み）を減少するために、表示の変更が命令される。このように、一実施形態において、ソートされた表示コンテキストのサブセクションにおける現在表示されている要素の後に、付加的な要素が付加される。前に表示された要素の如何なる順序付けも乱さないので、表示要素のセクション又はカテゴリの終わりに付加された要素は、あまり空間メモリに影響を与えない。現在の表示要素が利用可能な表示空間に入りきらないとき、要素の付加を助けるように表示レイアウトを調整するために、空間変形規則が用いられる。例示的な空間変形規則（spatial distortion rule）が、左から右、上から下への英語テキストと関連付けられる。中国語のような上から下、右から左の向きのテキストについての空間変形規則は、反対側の方向から読む方向に要素を付加する。同様に、アラビア語のような右から左、上から下の向きの言語は、テキストを左側に加える空間変形規則と関連付けられる。
【００１１】
一実施形態においては、画面の右下縁部に入りきらないテキスト要素を垂直方向に移動させるべきであることを指定するように、空間変形規則が用いられる。各々の要素は、各セクション内のアイコンの最後の列の右端部に、又は最後の行がいっぱいの場合にはセクションの下部の新しい行の左端に付加される。このことにより、要素は、その要素のカテゴリと関連付けられた空間位置の近くに置かれる。利用可能な表示空間が、表示要素を適合させるのに依然として小さすぎる場合には、随意的に（オプションとして）視覚化を調整し、優先的に表示要素のカテゴリ間の距離を減少させ、フォント・サイズを調整し、及び／又は、ユーザのための空間順序付け及び／又は空間位置のキューを優先的に保存する他の種々の変換を行う。新しい要素が付加されるときに空間位置の破壊を減らすことにより、ソートされた表示コンテキスト内の空間キューが再利用可能になる。空間キューは、ユーザの識別、及び／又は視覚化の変更及びパターンの統合を容易にする。他の実施形態においては、ソートされたコンテキスト内のリンク情報を表示するためのシステム１００は、ワークステーション又はコンピュータのような独立型装置内に内蔵され、ウェブ・サーバのような情報リポジトリ内に内蔵され、及び／又は、通信リンク９９によってアクセス可能な他のいずれかの場所に配置される。
【００１２】
図２は、本発明による、ソートされたコンテキスト内のリンク情報を表示する例示的な方法のフローチャートである。プロセスはステップＳ１００で始まり、直ちにステップＳ１１０に続く。
【００１３】
ステップＳ１１０において、第１の組の要素が決定される。要素は、クエリ又は探索の結果、共通の要素にリンクされた１組の要素、又はユーザが個別に選択した要素とすることができる。例えば、１つの例示的な実施形態において、第１の組の要素は、データベース・クエリから検索された探索結果記録に基づいて決定される。次に、制御はステップＳ１２０に続く。
【００１４】
ステップＳ１２０において、第１の組の要素と関連付けられた第１の表示特性が決定される。表示特性には、これらに限られるものではないが、フォント又はフォントサイズ、イタリック体のようなフォントの特性、強調（ハイライト）表示、彩度、色相、要素の背景色又は塗りつぶし色、ストローク色、要素の形状、星、紋章、及び絵文字のような特徴的装飾、及び／又は、周知の又は後で決定される人間が知覚できる何らかの表示特性が含まれる。次に、制御はステップＳ１３０に続く。
【００１５】
ステップＳ１３０において、第１の組の要素が、第１の表示特性を用いて、ソートされた表示コンテキスト内に示される。１の例示的な実施形態において、第１の表示特性は、色又は色相と関連付けられ、関連付けられた要素がユーザの現在のドキュメントコレクション内にあることを示す。次に、制御はステップＳ１４０に続く。
【００１６】
ステップＳ１４０において、関心ある要素が選択される。マウス、ペン等のポインティング装置又は他のポインティング装置を用いて、関心ある要素が明示的に選択される。ジェスチャのような選択動作を用いて、関心ある要素を選択することもできる。要素は、マウス又はペン・クリック、ジェスチャのような明示的なユーザ・インターフェース選択動作を用いて暗黙的に選択され、投げ縄、ボックス、長方形のような境界を示すインジケータでその要素を囲み、音声コマンド等を用いて選択される。しかしながら、関心ある要素を示すのに有用な、周知の又は後に開発される何らかの選択方法を用いることもできる。他の実施形態においては、多数の関心ある要素が選択される。次に、制御はステップＳ１５０に続く。
【００１７】
ステップＳ１５０において、選択された要素との計算された関係に基づいて、第２の組の要素が決定される。第２の組の要素は、類似性尺度（similarity measure）及びしきい値、リンク接続等に基づいて、関心ある要素に関連付けられる。類似性尺度は、これらに限られるものではないが、引用リンク、要素によって表されるドキュメント間の類似性、メタデータ属性、テキスト、トピック、ジャンル、ＨＴＭＬタグ、ＵＲＬリンク、データベース・クエリ、及び／又は、関連した要素を決定するのに有用な周知の又は後に開発される任意の類似性尺度を含む。しきい値を超える類似性スコアを有する要素が、第２の組の要素と関連付けられる。次に、制御はステップＳ１６０に続く。
【００１８】
ステップＳ１６０において、関心ある要素にリンクされた第３及び第４の組の要素が決定される。種々の例示的な実施形態において、第２の組から第１の組の要素を減算することによって、第３の組の要素が形成される。結果として得られる第３の組の要素は、現在のコレクションに付加されることになる条件的変更又は提案された変更を反映する。
【００１９】
一実施形態において、第３の組の要素は、第２の組の要素を現在のドキュメントコレクションに付加した結果を示す。第３の組の要素は、第２の表示特性すなわちゴースト化された表示特性と関連付けられる。新しい要素が付加されたときに、ソートされた表示コンテキストの構成が、優先的に保存される。メタデータ又は他の特徴に基づいて、ソートされた表示コンテキスト内の要素が、随意的に（オプションとして）カテゴリ又はセクションに分類される。第３の組の要素は、現在のドキュメントコレクションの関連したカテゴリ又はセクション内に付加される。したがって、ゴースト化され、提案された要素すなわち第３の組の要素の各々を適切なカテゴリ又はセクションに付加し、それを、既にそのカテゴリ又はセクション内にある要素の後に配置することによって、現在のドキュメントコレクションの空間分布は、割り当てられた表示空間内に可能な限り維持される。このように、英語、及び／又は、他の左から右、上から下の向きのテキスト・タイプの要素の場合は、新しい第３の組立体のテキスト要素が、各セクションの終わりに、上から下、左から右に付加される。
【００２０】
アラビア語及び右から左、上から下の向きの他の言語の場合は、新しい第３の組のテキスト要素は、随意的に（オプションとして）、左から付加される。しかしながら、言語の好ましい読み方向、ユーザによって、及び／又は、用途のために、左、上、下、及び／又は他のいずれかの方向から要素を付加することもできる。さらに、現在のドキュメントコレクションに利用可能な表示空間が入りきらないとき、該コレクション内の要素は、空間キューを優先的に保持するように調整される。他の種々の実施形態においては、新しい表示要素は、現在のドキュメントコレクションの第１の組の要素内に挿入される。つまり、新しい要素は、セクションの読み順によって挿入される。このことにより、提案される変更が表示される。
【００２１】
第４の組の要素は、第１の組の要素と第２の組の要素との交差部分に基づいて決定される。この新しい第４の組の要素は、関心ある要素にリンクされるものであって既に現在のコレクション内に見出されている要素と関連付けられる。第４の組の要素は、第３の表示特性と関連付けられる。一実施形態においては、第４の組の要素は、要素が既に第１の組の要素内にあることをユーザに気付かせる強調表示された表示特性と関連付けられる。第１の組の要素から第２の組の要素を減算することによって第５の組の要素が形成される。第５の組の要素は、関心ある要素と関連付けられていない、第１の組からの要素を反映する。次に、制御はステップＳ１７０に続く。
【００２２】
ステップＳ１７０において、第２、第３及び第４の表示特性を用いて、それぞれ第３、第４、及び第５の組の要素が表示される。このように、第３の組の要素は、ゴースト化された表示特性すなわち第２の表示特性と関連付けられる。ゴースト化された表示特性すなわち第２の表示特性は、一般に、より低い侵入的性質と関連付けられる。例えば、１つの例示的なゴースト化された表示特性は、減少した色の強さ、減少した色相、飽和（彩度）レベル、あまり侵入的でない色等と関連付けられる。第２の組の要素は、第３及び第４の組に分けられる。第３の組の要素は、新しい要素を反映し、よって、第２の表示特性すなわちゴースト化された表示特性と関連付けられる。第４の組の要素は、第３の表示特性すなわち強調表示された表示特性と関連付けられる。第５の組は、第４の表示特性すなわちディムド（グレイ等の淡色表示）された表示特性と関連付けられ、選択された関心ある要素と関連付けられていない第１の組からの要素を示す。次に、制御はステップＳ１８０に続き、プロセスが終了する。
【００２３】
本発明による種々の例示的な実施形態において、第３の組のアイテム内の要素が、対話形式で選択可能である。つまり、ユーザは、マウス・ボタンのクリック、ジェスチャ、及び／又は他の何らかの選択方法を用いて、１つ又はそれ以上の提案された要素すなわち第３の組の要素を選択することができる。選択された要素は、第３の組から要素を除去し、該要素を第１の組に割り当てることによって、現在のドキュメントコレクションに付加され、関連した第２、第４、及び第５の組が再計算され、該要素についての関連した表示特性が判断され、適用される。
【００２４】
図３は、本発明による、ソートされたコンテキスト内のリンク情報を表示するための例示的なシステム１００である。ソートされたコンテキスト内のリンク情報を表示するためのシステム１００は、入力／出力回路１０及び通信リンク９９を通して、通信可能なパーソナル・コンピュータ３００及びドキュメント１０００〜１００２を供給する情報リポジトリ２００に接続される、プロセッサ２０、メモリ３０、選択決定回路４０、組決定回路５０、関連要素決定回路６０、表示特性決定回路７０、要素レイアウト回路８０、及び表示回路９０から構成される。通信可能なパーソナル・コンピュータ３００のユーザは、現在のドキュメントコレクション内のドキュメントを見るための要求を開始する。要求は、通信リンク９９によって、ソートされたコンテキスト内のリンク情報を表示するためのシステム１００に送られる。一実施形態においては、ソートされたコンテキスト内のリンク情報を表示するためのシステム１００が、ユーザの要求を仲介する。しかしながら、他の実施形態においては、ソートされたコンテキスト内のリンク情報を表示するためのシステム１００は、情報リポジトリ２００内に内蔵され、通信可能なパーソナル・コンテキスト３００内に内蔵され、或いは通信リンク９９によってアクセス可能な他のいずれかの位置に配置される。
【００２５】
ソートされたコンテキスト内のリンク情報を表示するためのシステム１００が、情報リポジトリ２００からドキュメントを検索する。各ユーザ・コレクション内のドキュメント又は他の情報は、随意的に（オプションとして）、情報管理システムによって維持され、ユーザ識別子等と関連付けられる。ユーザのドキュメントコレクションが選択され、第１の組のドキュメントとして、ソートされたコンテキスト内のリンク情報を表示するためのシステム１００に戻される。第１のソートされた表示コンテキストが、第１の組のドキュメントに基づいて決定される。第１のソートされた表示コンテキストは、コレクション内のドキュメントをノードとして表す。各ノードは、関連したドキュメントからのメタデータと関連付けられる。本発明から逸脱することなく、種々の情報表示を用いることができる。ドキュメントを表すノードは、ユーザによって選択可能である。一実施形態において、ソートされたコンテキスト内のリンク情報を表示するためのシステム１００のプロセッサ２０は、選択決定回路４０を作動させ、ユーザによって選択されたノードを決定する。ユーザによるマウス・ボタンの右クリック操作、メニュー選択等を用いて、第１のソートされた表示コンテキストから関心あるノードを選択する。
【００２６】
プロセッサ２０は、関連要素決定回路６０を作動させ、関心ある要素に関連付けられた要素を決定する。関心ある要素に関連付けられた要素は、第２の組の要素を形成する。第２の組の要素は、関心ある要素又は選択された要素だけで構成される。このことは、ユーザが要素を除去するときに起こる。
【００２７】
プロセッサ２０は、表示特性決定回路７０を作動させ、第１の組の要素についての第１の表示特性すなわちノーマル（標準）な表示特性を決定する。例示的なドキュメント点検（review）環境においては、ユーザが右のマウス・ボタンを用いて関心ある要素を選択するとき、ゴースト化されたアイコン・モードが入力される。ゴースト化されたアイコン・モードにおいて、関心ある要素と関連付けられていない第１の組の要素は、ユーザがこれらの要素に集中するのを減少させる淡色表示（ディムド）された表示特性と関連付けられる。ユーザがゴースト化されたアイコン・モードを終了させると、第１の組の要素は、第１の表示特性すなわちノーマルな表示特性を用いて表示される。
【００２８】
プロセッサ２０は、組決定回路５０を作動させ、第１及び第２の組に基づいて第３の組の要素を決定する。第３の組は、第２の組から第１の組を減算することによって決定される。結果として得られる第３の要素は、現在のコレクションへの提案された付加を反映する。表示特性回路９０が作動され、第３の組の要素についての第２の表示特性すなわちゴースト化された表示特性を決定する。
【００２９】
プロセッサ２０は、組決定回路５０を作動させ、第１及び第２の組の交差部分に基づいて第４の組の要素を決定する。第４の組の要素は、既にコレクション内にある第２の組からの要素を反映する。
【００３０】
プロセッサ２０は、組決定回路５０を作動させ、第１の組の要素から第２の組の要素を減算することによって、第５の組の要素を決定する。第５の組の要素は、関心ある要素と関連付けられていないドキュメントを表す。
【００３１】
表示特性回路６０が作動され、第４の組の要素についての表示特性を決定する。例示的なドキュメント点検環境において、第４の組の要素は、第３の表示特性すなわち強調表示された表示特性と関連付けられ、第４の組によって表されるドキュメントが既にコレクション内にあることを示す。しかしながら、プログラム制御等の下で、ユーザが、随意的に（オプションとして）、種々の表示特性を調整することができる。
【００３２】
次に、前にメモリ３０に格納された空間変形規則に基づいて、プロセッサ２０は、要素レイアウト回路８０を作動させ、第３の組の要素からの要素をソートされた表示コンテキストに優先的に付加する。要素は、いずれかの既存のソートされたカテゴリ内に付加される。新しい要素が、まだ存在していないカテゴリに含まれる場合には、新しいカテゴリが作成される。
【００３３】
空間変形規則により、変形を最小にしながら、第３の組の要素を、ソートされた表示コンテキストに付加することが可能になる。つまり、空間変形規則は、空間キューを維持するために、付加的な要素をソートされた表示コンテキストに付加する方法を指定する。空間変形規則は、付加されるべき情報のタイプ、ユーザの好み、システムの基本設定等に基づいている。
【００３４】
次に、プロセッサ２０は、表示回路９０を作動させ、通信リンク９９によって、ソートされた表示コンテキストを通信可能なパーソナル・コンピュータ３００のユーザに送る。
【００３５】
種々の他の実施形態においては、第３の組のアイテム内の要素は、対話方式で選択可能である。つまり、ユーザは、マウス・ボタンのクリック、ジェスチャ、及び／又は他の何らかの選択方法を用いて、１つ又はそれ以上の提案された要素すなわち第３の組の要素を選択することができる。選択された要素は、第３の組から要素を除去し、該要素を第１の組に割り当てることによって、現在のドキュメントコレクションに付加され、関連した第２、第４、及び第５の組が再計算され、該要素についての関連した表示特性が判断され、適用される。
【００３６】
図４は、本発明による、第１の例示的なソートされた表示コンテキストを示す。一実施形態においては、要素５０１〜５１１の組は、情報リポジトリの探索によって見つけられたドキュメントを表す。しかしながら、１組の要素を選択する種々の方法を用いることができる。さらに、要素によって表されるドキュメントは、手動のユーザ選択等によってプログラムで得ることができる。一実施形態において、第１の組５０１〜５１１の要素が、発行年４０１〜４０４によって垂直方向に、各要素のタイトルによって水平方向に分類される。第１の組の各要素は、第１の表示特性と関連付けられる。要素Ｘ４  ５０１は、第１列の第１の要素として表示され、その後に要素Ｙ４  ５０２及び要素Ｚ４  ５０３が続く。要素はそれぞれ、２００４年カテゴリ４０１の下に表示される。タイトル・ベースの水平方向の順序付け及び日付ベースの垂直方向の順序付けは、ソートされたコンテキストを提供し、このことは、関連した要素を見つけるのを容易にする。
【００３７】
同様に、要素Ｘ３  ５０４、要素Ｙ３  ５０５、及び要素Ｚ３  ５０６は全て、２００３年カテゴリ４０２の下の第２列内に示される。要素Ｚ３  ５０６が、ユーザへの関心ある要素として選択される。関心ある要素は、随意的に（オプションとして）、第１の表示特性とは異なる表示特性と関連付けられる。一実施形態において、新しい要素すなわち第３の組の要素が、関心ある要素に基づいて決定される。このように、第３の組は、要素の現在のコレクションへの提案された付加又は変更と関連付けられる。したがって、第３の組は、第２の表示特性と関連付けられ、要素の提案された又は条件付き性質を示す。他の実施形態においては、第３の組の要素は、選択された要素にリンクされた要素を反映する。第２の表示特性すなわちゴースト化された表示特性と関連付けられた要素は、どの要素が選択された要素にリンクされるかを知らせる。例えば、第２の表示特性すなわちゴースト化された表示特性と関連付けられた要素を用いて、選択された研究報告が基づいている研究報告を視覚化することができる。
【００３８】
ソートされた表示コンテキストの第３列は、要素Ｘ２  ５０７及び要素Ｙ２  ５０８を含む。これらのドキュメントは、２００２年カテゴリ４０３の下で分類される。最後に、ソートされた表示コンテキストの第４列は、年カテゴリ４０４下で、要素Ｘ１  ５０９、Ｙ１  ５１０、及びＺ１  ５１１を含む。種々の他の要素属性又は特徴を用いて、要素を分類することもできる。
【００３９】
図５は、本発明による、現在のソートされた表示コンテキストに新しい第２の組の要素を付加することを示すアニメーション表示である。新しい要素すなわち、第２の組の要素は、先に選択された関心ある要素Ｚ３  ５０６を原点（源）とする。第２の組の要素Ａ４  ６０１が、関心ある要素Ｚ３  ５０６からの経路を横切って、２００４年カテゴリ４０１にアニメーション表示される。一実施形態においては、第２の組の要素Ａ４  ６０１及びＢ４  ６０２が、ソートされた表示コンテキストに挿入され、既にソートされた表示コンテキスト内にある第１の組の要素Ｘ４  ５０１、Ｙ４  ５０２、及びＺ４  ５０３に続く。新しい要素は、条件付きの暫定的な状態すなわちあまり目立たない状態を示す、あまり侵入的でない表示特性と関連付けられる。
【００４０】
図６は、本発明による、現在のソートされた表示コンテキストに新しい第２の組の要素を付加することを示す第２のアニメーション表示である。付加的な要素Ａ３  ６０３及びＢ３  ６０４が、関心ある要素Ｚ３  ５０６から始まり、２００３年カテゴリ４０２の下の第２列への経路に従うものとして示される。既にソートされた表示コンテキスト内にある古い第１の組の要素の後に新しい第２の組の要素を配置することにより、空間キューを乱すことが回避される。しかしながら、新しく付加された第２の組の要素は、適切な垂直方向の年カテゴリ４０２内に付加される。新しく付加された第２の組の要素は、現在表示されている要素に追加して空間キューを維持することができ、或いは現在表示されている要素内に分類して付加的なコンテキストを提供することもできる。
【００４１】
図７は、本発明による、現在のソートされた表示コンテキストに新しい第２の組の要素を付加することを示す第３のアニメーション表示である。付加的な第２の組の要素Ａ２  ６０５及びＢ２  ６０６は、関心ある要素Ｚ３  ５０６を源とするものとして示される。付加的な第２の組の要素は、関心ある要素Ｚ３  ５０６から２００４年カテゴリ４０３の下の第３列まで経路を横切る。付加的な第２の組の要素Ａ２  ６０５とＢ２  ６０６は、第１の組の要素Ｘ２  ５０７、Ｙ２  ５０８の後に付加される。このことにより、空間キューが保存される。第２の組の要素Ａ２  ６０５及びＢ２  ６０６は、第２の表示特性すなわちゴースト化された表示特性と関連付けられ、暫定的な又は条件付きの状態を示す。
【００４２】
図８は、本発明による、現在のソートされた表示コンテキストに新しい第２の組の要素を付加することを示す第４のアニメーション表示である。付加的な要素Ａ１  ６０７及びＢ１  ６０８は、関心ある要素Ｚ３  ５０６を源とする。付加的な要素は、２００１年カテゴリ４０４の下の第４列まで経路を横切る。
【００４３】
図９は、制限された表示領域７００にオーバフローする（入りきらない）要素を示す。付加的な第２の組の要素Ｂ５  ６０９は、制限された表示領域７００内に適合されない。ソートされた表示コンテキストが決定され、変換が適用され、空間変形規則に基づいて付加的な第２の組の要素を付加する。空間変形規則は、現在のソートされた表示コンテキストのレイアウトを調整する方法を、優先的に表示システムに知らせる。空間変形規則は、空間キューに悪影響を与えることなく、要素をソートされた表示コンテキストに付加する方法を示す。空間変形規則は、メモリ又はファイルから検索され、ユーザによって入力され、ユーザ識別子等に基づいて検索される。
【００４４】
一実施形態において、空間変形規則は、入りきらない新しい要素すなわち第２の組の要素をソートされた表示コンテキストに付加する方法を示す。したがって、要素が関連したセクション内の列に入りきらないが、制限された表示領域内に付加的な列のための空間が存在する場合には、新しい要素を水平方向及び垂直方向に移動させ、既存の列の下に新しい列を始めることができる。さらに、画面上にいずれかの付加的な列のための十分な空間がない場合には、新しい列を画面外の座標に配置するか、又は新しい列のための場所を作るために、１つ又はそれ以上の既存の列を画面外の座標に動かすことができる。空間変形規則は、擬似変換又は他の変換によって、アイコンのレイアウト全体又はレイアウト全体の一部のサイズを縮小すべきであることも指定でき、新しい要素の付加が完了した後に、より多くのオリジナルの要素及び新しく付加された要素が、制限された表示領域内で見えるようになる。表示要素の情報コンテンツ、要素内に含まれる言語情報、ユーザの好み等もまた、レイアウト調整をするために用いられる。
【００４５】
図１０は、本発明による、第１の垂直方向に移動（displace）された新しい第２の組の要素を示す例示的な表示である。新しい第２の組の要素Ｃ１  ６０９を、２００１年カテゴリ４０４の第１行の終わりに付加するが、表示空間が不足している。空間変形規則は、新しい要素を次の行の左端に折り返す、垂直方向及び水平方向のレイアウト調整を指定する。このことにより、入りきらない新しい第２の組の要素Ｃ１  ６０９を制限された表示空間内で表示することが可能になる。結果として得られる表示は、付加的な新しい第２の組の要素を統合しながら、前にソートされた表示コンテキストの空間メモリ・キューを維持する。
【００４６】
図１１は、本発明による、第２の垂直方向に移動された新しい第２の組の要素を示す例示的な表示である。新しい第２の組の要素Ｃ１  ６０９が、２００１年カテゴリ４０４の第１行の終わりに付加されるが、表示空間が不足している。空間変形規則は、入りきらない新しい第２の組の要素Ｃ１  ６０９を制限された表示空間内に適合させるために、垂直方向の移動のレイアウト調整をなすべきであると指定する。結果として得られる表示は、付加的な新しい第２の組の要素を統合しながら、前にソートされた表示コンテキストの空間メモリ・キューを維持する。他の実施形態において、要素は、付加的な表示の長方形、領域、又はページに入りきらない。次に、ユーザは、入りきらない要素を見るために、パニング及びズーミング制御を用いることができる。更に、随意的に（オプションとして）付加する要素と関連付けられたアニメーション表示が、連続的及び／又は同時に生じることが明らかである。
【００４７】
図１２は、本発明による、ドキュメントコレクションの第１のソートされた表示コンテキストである。ドキュメントＳｍｉｔｈ０４  ５１１及びＳｍｏｌｉａｒ０４  ５１２を表す要素が、２００４年カテゴリ４９５内でソートされた状態で表示される。要素のソート及び順序付けは、随意的に（オプションとして）、システム仕様、ユーザの好み、関連したドキュメント内の他の種類のメタデータ等に基づいている。要素の空間ソート又分類により、ユーザが情報のパターンを識別することが可能になる。要素Ｂｉｅｒ０３  ５１３及びＹｅｅ０３  ５１４は、２００３年カテゴリ４０６内でソートされた状態で表示される。Ｓｍｉｔｈ０４  ５１１、Ｓｍｏｌｉａｒ０４  ５１２、Ｂｉｅｒ０３  ５１３、及びＹｅｅ０３  ５１４内の要素が、第１の組の要素を形成する。年カテゴリ４０５〜４０６内での要素の順序付けは、ソートされたコンテキストを形成し、その中で情報をより容易に統合することができる。一実施形態においては、ソートされたゴースト・アイコン・モードが、右マウス・ボタンを用いて選択され、関心ある要素Ｙｅｅ０３  ５１４を選択する。第５の組の要素、又は関心ある要素Ｙｅｅ０３  ５１４と関連付けられていない第１の組の要素についての表示特性は、第４の表示特性すなわち淡色表示（ディムド）された表示特性に変えられる。関心ある要素Ｙｅｅ０３  ５１４は、随意的に（オプションとして）、第５の表示特性すなわち選択された表示特性と関連付けられる。
【００４８】
図１３は、本発明による、ドキュメントコレクションの第２のソートされた表示コンテキストである。ユーザは、要素をクリックすることによって関心ある要素Ｙｅｅ０３  ５１４を選択し、ソートされたゴースト・アイコン・モードが入力される。ドキュメントリポジトリから選択されたドキュメントを表す第２の組の要素が決定される。この場合、第２の組の要素は、関心ある要素Ｙｅｅ０３  ５１４で表されるドキュメントが引用するドキュメントを識別することによって決定される。第２の組の要素は、Ｂｉｅｒ０３  ５１３、Ｊｅｔｔａ０３  ６１１、及びＪａｎｓｅｎ９８  ６１２を表す要素を含む。
【００４９】
第３の組の要素は、第１及び第２の組の種々の変換に基づいて決定される。一実施形態において、第３の組の要素は、第２の組の要素から第１の組の要素を減算することによって決定される。結果として得られる第３の組の要素は、現在表示内にないものの、点検するように提案される要素を反映する。新しい第３の組の要素は、第２の表示特性すなわちゴースト化された表示特性と関連付けられ、空間変形規則に基づいてソートされた表示コンテキストに挿入される。空間変形規則は、優先的に、表示内の空間キューを保存する。例えば、例示的な空間変形規則は、表示空間内の関連したカテゴリの終わりに第３の組の要素を挿入することを指定する。このように、新しい第２の組の要素が、ソートされた表示コンテキスト内の関連したソートされたカテゴリに付加される。しかしながら、幾つかの実施形態においては、カテゴリ又セクションは、オリジナルの部分及び条件付き部分に細分される。カテゴリ又はセクションのオリジナルの部分は、第１の組のアイコンのオリジナルのソートを示す。カテゴリの条件付き部分は、関連したカテゴリについての第３の組の要素を示す。第３の組の要素の位置決めは、ユーザによって選択された及び／又はプログラムで決定された１つ又はそれ以上の空間変形規則と関連して決定される。このように第３の組の要素も示しながら、カテゴリ内の第１の組の要素の順序付けを保存することにより、空間キューの再使用が可能になる。対照的に、第３の組の要素をオリジナルの部分にソートすることにより、提案された変化を表示と直接比較することが可能になる。
【００５０】
第４の組の要素は、第１及び第２の組の要素の交差部分を見つけることによって決定される。つまり、第１及び第２の組の要素からの共通の要素が、第４の組の要素と関連付けられる。第４の組の要素についての表示特性が、関心ある要素との関連性を示す。
【００５１】
図１４は、本発明による、表示特性８００を格納するための、例示的なデータ構造である。表示特性８００を格納するためのデータ構造は、組部分８１０、要素部分８２０、ノーマルモードの表示特性部分８３０、及びゴースト化されたモードの表示特性部分８４０からなる。
【００５２】
表示特性８００を格納するためのデータ構造の第１列は、エントリ「Ｓ１」、「ＳＭＩＴＨ０４、ＳＭＯＬＩＡＲ０４、ＢＩＥＲ０３、ＹＥＥ０３」、「ノーマル」、並びに、「Ｎ／Ａ（Not Applicable：非適用）」を含む。これらのエントリは、組Ｓ１が、関連した要素ＳＭＩＴＨ０４、ＳＭＯＬＩＡＲ０４、ＢＩＥＲ０３、ＹＥＥ０３を含むことを示す。ゴースト化されていないアイコン・モードにおいて、Ｓ１要素は、ノーマルな表示特性と関連付けられる。ゴースト化されたモードの表示特性は、Ｓ１∪Ｓ２における要素のサブセットと関連付けられるので、ゴースト化されたモードの表示特性は、エントリ「Ｎ／Ａ」を含む。
【００５３】
第２列は、エントリ「Ｓ２」、「ＹＥＥ０３、ＪＥＴＴＡ０３、ＪＡＮＳＳＥＮ９８」、「Ｎ／Ａ」及び「Ｎ／Ａ」を含む。これらのエントリは、例示的な第２の組Ｓ２が、要素ＹＥＥ０３、ＪＥＴＴＡ０３、及びＪＡＮＳＳＥＮ９８から構成されることを示す。この組についてのノーマルモード及びゴースト化されたアイコン・モードの表示特性が、値「Ｎ／Ａ」と関連付けられ、第２の組が、ノーマルモード又はゴースト化されたアイコン・モードのいずれにおいても直接表示されないことを示す。代わりに、Ｓ１及びＳ２の和集合、すなわちＳ１∪Ｓ２が表示される。
【００５４】
第３列は、値「Ｓ３＝Ｓ２−Ｓ１」、「ＪＥＴＴＡ０３、ＪＡＮＳＳＥＮ９８」、「Ｎ／Ａ」、及び「ゴースト化」を含む。これらのエントリは、例示的な第３の組Ｓ３が、組Ｓ２から組Ｓ１を減算することによって形成されることを示す。組Ｓ３は、ゴースト化されていないアイコン・モードで表示されず、よって、ノーマルモードの表示特性についての「Ｎ／Ａ」値すなわち「非適用」値と関連付けられる。例示的な淡色表示（ディムド）された表示特性は、ゴースト化されたアイコン・モードと関連付けられる。
【００５５】
第４列は、値「Ｓ４＝Ｓ１∩Ｓ２」、「ＢＩＥＲ０３、ＹＥＥ０３」、「ノーマル」、「強調表示」を含む。これらのエントリは、例示的な第４の組Ｓ４内の要素が、組Ｓ１及びＳ２の交差部分から形成されることを示す。組Ｓ４は、要素ＢＩＥＲ０３及びＹＥＥ０３を含む。これらの要素は、ゴースト化されていないアイコン・モードにおけるノーマルな表示特性及びゴースト化されたアイコン・モードにおける強調表示された表示特性と関連付けられる。１つの例示的な実施形態においては、組Ｓ４の要素は、ユーザが選択した関心ある要素に関連付けられた要素を反映する。
【００５６】
第５列は、エントリ「Ｓ５＝Ｓ１−Ｓ２」、「ＳＵＭＩＴＨ０４、ＳＭＯＬＩＡＲ０４」、「ノーマル」、及び「淡色表示（ディムド）」を含む。これらのエントリは、例示的な第５の組が、ゴースト化されていないアイコン・モードにおけるノーマルな表示特性及びゴースト化されたアイコン・モードにおける淡色表示（ディムド）された表示特性と関連付けられることを示す。第５の組の要素は、既に表示内にあるが、１つ又はそれ以上の関心ある要素に関連付けられていない。
【００５７】
第６列は、エントリ「Ｓ６＝選択された要素」、「ＹＥＥ０３」、「ノーマル」、「選択」を含む。これらのエントリは、例示的な組Ｓ６が、関心ある要素を選択することによって決定されることを示す。組Ｓ６の要素を選択するための他の値には、これらに限られるものではないが、探索クエリ、プログラム等が含まれる。組Ｓ６は、ゴースト化されていないアイコン・モードにおけるノーマルな表示特性及びゴースト化されたアイコン・モードにおける選択された表示特性と関連付けられる。要素ＹＥＥ０３は、選択された要素として示される。
【００５８】
図１５は、リンクされたノードを示す例示的な引用グラフである。リンクされたノード又は要素は、随意的に（オプションとして）、ドキュメント、データベース記録、及び／又は任意のリンクされた情報アイテムと関連付けられる。最初の４つのノード９０１〜９０４は、それぞれノード５  ９０５に接続される。ノード６  ９０６、ノード７  ９０７及びノード８  ９０８もまた、それぞれノード５  ９０５に接続される。
【００５９】
図１６は、リンクされたノードの引用グラフ内の選択されたノードを示す。選択されたノードは、ノード５  ９０５である。ノード５  ９０５は、ユーザの明示的動作及び／又は暗黙的動作に基づいて選択される。例えば、ノードは、キーボード入力、マウス、ペン又はジェスチャ動作、音声コマンド、クエリ又は種々の他の動作の結果に基づいて選択することができる。
【００６０】
図１７は、本発明の第１の態様による、要素の周りのリンクを示す例示的な引用グラフである。第１の組のノード又は要素は、ノード５  ９０５からなり、第１の表示特性すなわちノーマルな表示特性９１０と関連付けられる。ユーザは、ノード５  ９０５を関心あるノードとして選択する。関心あるノードは、第５の表示特性すなわち選択された特性と関連付けられる。例えば、デジタル図書館環境において、第２の組のノードを選択するために、引用探索機能が用いられる。ユーザは、引用探索機能を選択し、選択されたノード５  ９０５によって引用されるノードの組を決定する。このように、第２の組のノード６  ９０６、ノード７  ９０７、ノード８  ９０８が決定される。第３の組のノードは、ソートされた表示コンテキストにおいてまだ表示されていない第２の組のノードから形成される。第３の組のノードは、第２の表示特性すなわちゴースト化された表示特性と関連付けられる。第２の表示特性すなわちゴースト化された表示特性には、これらに限られるものではないが、減少した輝度、より低い彩度、あまり侵入的でないフォント特性、色、サイズ等が含まれる。第２の組についてのノードは、１つ又はそれ以上のノードを個別にクリックし、及び／又は、他の方法でグラフ内のノードを選択し、クエリ等に基づいてノードを選択することによって選択される。
【００６１】
図１８は、本発明の第２の態様による、ソートされた表示コンテキストの例示的な図である。ノード５  ９０５がユーザによって選択され、第２の組のノードを決定する。第３の組のノードは、第２の組から第１の組を減算することによって決定される。第３の組のノードは、まだ表示内にないノードを表し、第２の表示特性すなわちゴースト化された表示特性９２０と関連付けられる。一実施形態においては、引用探索機能が実行され、選択されたノード５  ９０５を引用するノードを決定する。ノード１  ９０１〜ノード４  ９０４は、第２の組のノードを構成する。第３の組のノードは、第２の組のノードから第１の組のノードを減算することによって形成される。第３の組のノードは、ソートされた表示コンテキストにまだ付加されていない新しいノードを反映する。
【００６２】
例示的なドキュメントリポジトリ環境において、ユーザは、ドキュメントのコレクションを表すユーザ・インターフェース要素を点検する。ユーザは、ドキュメントと関連付けられた要素をリンクされた近隣に組織する。関心ある要素の選択は、視覚化されたドキュメントコレクションのソートされた表示コンテキストを形成する。既にユーザのコレクション内にあるドキュメントが、第１の表示特性すなわちノーマルな表示特性と関連付けられた要素で表される。ゴースト・アイコン・モードが選択されたとき、関心あるドキュメントに関連付けられたものの、まだコレクション内に見出されないドキュメントが、第２の表示特性すなわちゴースト化された表示特性と関連付けられ、ソートされた表示コンテキストに挿入される。関心あるドキュメントにリンクされ、既にドキュメントコレクション内にあるドキュメントは、第３の表示特性すなわち強調表示された表示特性を用いて表示される。コレクション内にあるものの、関心あるドキュメントと関連付けられていないドキュメントは、第４の表示特性すなわち淡色表示（ディムド）された表示特性を用いて表示される。
【００６３】
次に、ユーザのコレクションの外にある関心あるドキュメントと既にユーザのコレクション内にあるドキュメントとの間のリンクは、容易に識別可能である。このことは、後の点検のためにドキュメントに優先順位を付けることを助ける。関心あるドキュメントとユーザのコレクション内のドキュメントとの間のリンクは、ドキュメントの更なる点検を正当化するのに有用である。例示的なドキュメントリポジトリ環境において、ゴースト化された要素を含むソートされた表示コンテキストは、ユーザに、現在のコレクションのソートされた表示コンテキスト内の可能なドキュメントコレクションの変化を点検するための手段を提供する。
【００６４】
種々の実施形態において、ソートされたコンテキスト内のリンク情報を表示するためのシステム１００が、ユーザ・インターフェースに組み込まれる。ユーザ・インターフェースは、ユーザの現在の空間レイアウト内で情報要素を点検するための環境を提供する。
【００６５】
ソートされたコンテキスト内のリンク情報を表示するためのシステム１００の種々の実施形態において、上に概説された回路１０〜８０を、適切にプログラムされた汎用コンピュータの一部として実装することができる。代替的に、上に概説された、ソートされたコンテキスト内のリンク情報を表示するためのシステム１００の１０〜８０は、ＡＳＩＣ内の物理的に別個のハードウェア回路として、又はＦＰＧＡ、ＰＤＬ、ＰＬＡを用いて、或いは別個の論理要素又は別個の回路要素を用いて、実装することができる。
【００６６】
さらに、ソートされたコンテキスト内のリンク情報を表示するためのシステム１００、及び／又は上述した種々の回路の各々は、それぞれソフトウェア・ルーチン、マネージャ、又はプログラムされた汎用コンピュータ、特定用途向けコンピュータ、マイクロプロセッサ等で実行するオブジェクトとして実装することができる。この場合、ソートされたコンテキスト内のリンク情報を表示するためのシステム１００、及び／又は上述した種々の回路の各々は、それぞれ、通信ネットワーク内に埋め込まれた１つ又はそれ以上のルーチンとして、サーバ等に常駐するリソースとして、実装することができる。ソートされたコンテキスト内のリンク情報を表示するためのシステム１００、及び上述した種々の回路はまた、ソートされたコンテキスト内のリンク情報を表示するためのシステム１００を、ウェブ・サーバ又はクライエント装置のハードウェア及びソフトウェア・システムのようなソフトウェア及び／又はハードウェア・システムに物理的に組み込むことによって、実装することもできる。
【００６７】
図３に示されるように、メモリ２０は、変更可能なメモリ、揮発性メモリ又は不揮発性メモリ、或いは変更不能なメモリすなわち固定メモリの任意の適切な組み合わせを用いて実装することができる。揮発性であろうと不揮発性であろうと、変更可能なメモリは、静的又は動的ＲＡＭ、フレキシブルディスク及びディスク・ドライブ、書き込み可能又は再書き込み可能な光ディスク及びディスク・ドライブ、ハード・ドライブ、フラッシュ・メモリ等のいずれか１つ又はそれ以上を用いて実装することができる。同様に、書き込み不能メモリすなわち固定メモリは、ＲＯＭ、ＰＲＯＭ、ＥＰＲＯＭ、ＥＥＰＲＯＭ、及びＣＤ−ＲＯＭ又はＤＶＤ−ＲＯＭディスクのような光ＲＯＭディスク、並びにディスク・ドライブ等のいずれか１つ又はそれ以上を用いて実装することができる。
【００６８】
図１及び図３に示される通信リンク９９は、装置を接続し、通信を助けるために使用可能な周知の又は後に開発される、任意の接続システム又は構造とすることができる。
【００６９】
上述されたような本発明の例示的な実施形態は、制限のためではなく、例証となるように意図される。
【図面の簡単な説明】
【００７０】
【図１】本発明に従って、ソートしたコンテキスト内のリンク情報を表示する、例示的なシステムの全体構成図である。
【図２】本発明に従って、ソートしたコンテキスト内のリンク情報を表示する、例示的な方法のフローチャートである。
【図３】本発明に従って、ソートしたコンテキスト内のリンク情報を表示する、例示的なシステムの構成図である。
【図４】本発明に従って、ソートしたコンテキスト内のリンク情報を表示する、第１の事例を示す図である。
【図５】本発明に従って、現在のソート表示コンテキストに新しい第２の組の要素を追加する、第１の事例を示す説明図である。
【図６】本発明に従って、現在のソート表示コンテキストに新しい第２の組の要素を追加する、第２の事例を示す説明図である。
【図７】本発明に従って、現在のソート表示コンテキストに新しい第２の組の要素を追加する、第３の事例を示す説明図である。
【図８】本発明に従って、現在のソート表示コンテキストに新しい第２の組の要素を追加する、第４の事例を示す説明図である。
【図９】制限された表示領域をオーバフローする要素を示す説明図である。
【図１０】本発明に従って、第１の、垂直方向に移動した、新しい第２の組の要素を示す例示的な表示の図である。
【図１１】本発明に従って、第２の、垂直方向に移動した、新しい第２の組の要素を示す例示的な表示の図である。
【図１２】本発明に係る、ドキュメントコレクションの、第１のソートされた表示コンテキストを示す図である。
【図１３】本発明に係る、ドキュメントコレクションの、第２のソートされた表示コンテキストを示す図である。
【図１４】本発明に従って、表示特性をソートするための、例示的なデータ構造を示す図である。
【図１５】リンクしたノードを示す例示的な引用グラフを示す図である。
【図１６】本発明の第１の特徴に従って、１の要素の回りのリンクを示す、例示的な引用内の選択ノードを示す図である。
【図１７】本発明の第１の特徴に従って、１の要素の回りのリンクを示す、例示的な引用グラフを示す図である。
【図１８】本発明の第２の特徴に従って、ソートされた表示コンテキストの例示的な図である。
【符号の説明】
【００７１】
２０：プロセッサ
３０：メモリ
４０、５０、６０、７０、８０、９０：回路
９９：通信リンク
１００：システム
２００：情報リポジトリ
３００：通信可能なパーソナル・コンピュータ
７００：制限された表示領域
１０００〜１００２：ドキュメント
【図１】
2006331418.tif 000003
【図２】
2006331418.tif 000004
【図３】
2006331418.tif 000005
【図４】
2006331418.tif 000006
【図５】
2006331418.tif 000007
【図６】
2006331418.tif 000008
【図７】
2006331418.tif 000009
【図８】
2006331418.tif 000010
【図９】
2006331418.tif 000011
【図１０】
2006331418.tif 000012
【図１１】
2006331418.tif 000013
【図１２】
2006331418.tif 000014
【図１３】
2006331418.tif 000015
【図１４】
2006331418.tif 000016
【図１５】
2006331418.tif 000017
【図１６】
2006331418.tif 000018
【図１７】
2006331418.tif 000019
【図１８】
2006331418.tif 000020